【手続補正書】
【提出日】平成30年10月15日(2018.10.15)
【手続補正１】
【補正対象書類名】明細書
【補正対象項目名】０００６
【補正方法】変更
【補正の内容】
【０００６】
各第１プランジャー９１、圧縮コイルスプリング９３内に挿入されている。圧縮コイルスプリング９３内に各第１プランジャー９１が挿入された逆方向から、第２プランジャー９２が圧縮コイルスプリング９３内に挿入されている。
【手続補正２】
【補正対象書類名】明細書
【補正対象項目名】００１１
【補正方法】変更
【補正の内容】
【００１１】
例えば２個の第１プランジャー９１が電極１３に接触する際、図２４のように、それぞれの第１プランジャー９１は２点で電極１３に電気的に接続する。しかし、第１プランジャー９１は板状であるため、２個の第１プランジャー９１を電極１３に接触させる際に、例えば、図２５のように、一方の第１プランジャー９１がズレてしまうことがある。そうすると、電極１３に接触している第１プランジャー９１の先端部９１Ａにのみ負荷がかかり、電極１３との間の摩耗等により、先端部９１Ａの先端形状が、変形したり、破損等したりする。この影響により、先端部９１Ａが正しく電極１３と接触できず、接触抵抗が悪化するという問題が生じ得る。第１プランジャー９１は板状であるため、第１プランジャー９１の強度を確保できず、電極１３及び電気的接触子９０のサイズ縮小化により、２個の第１プランジャー９１間が狭ピッチとなるため、第１プランジャー９１のズレを正すことは困難である。
【手続補正３】
【補正対象書類名】明細書
【補正対象項目名】００１２
【補正方法】変更
【補正の内容】
【００１２】
また、例えば２個の第１プランジャー９１の先端部９１Ａがボール形状の電極１３に接触する際、第１プランジャー９１のいずれか一方又は双方の先端部９１Ａがボール形状の電極１３の表面に沿って滑ってしまい、図２６に示すように、第１プランジャー９１が外側に広がってしまうことがある。そうすると、第１プランジャー９１は、図２７（Ａ）の接触前の状態から図２７（Ｂ）の接触後の状態となり、板状の第１プランジャー９１の角部Ｅがハウジング１７に干渉し、第１プランジャー９１の角部Ｅが削れ、その削れカスが接触不良を引き起こす可能性が生じ得る。図２８（Ａ）及び図２８（Ｂ）に示すように、電気的接触子９０を装着するハウジング１７の穴形状を長穴にすることで解決できる。しかし、穴形状を長穴とするためにコストがかかるという問題がある。
【手続補正４】
【補正対象書類名】明細書
【補正対象項目名】００７５
【補正方法】変更
【補正の内容】
【００７５】
図６において、各第１プランジャー２１０は、概ね半円柱形状を有する。各第１プランジャー２１０は、例えば、略円柱形状のプランジャーを中心軸に沿って切断することで形成できる。そのため、略半円柱形状の各第１プランジャー２１０の平面部分が対向するようにして、２個の第１プランジャー２１０が設けられる。
【手続補正５】
【補正対象書類名】明細書
【補正対象項目名】００７７
【補正方法】変更
【補正の内容】
【００７７】
また、第１プランジャー２１０の形状を略半円柱形状とすることにより、第１プランジャー２１０の強度を確保できるため、第１プランジャー２１０の電極１３への接触を安定して行なうことができる。また、電極１３及び電気的接触子２０のサイズの縮小化にも対応でき、第１プランジャー２１０間の狭ピッチ化にも対応できる。
【手続補正６】
【補正対象書類名】明細書
【補正対象項目名】００８２
【補正方法】変更
【補正の内容】
【００８２】
上部２１２は略半円柱形状である。そのため、２個の第１プランジャー２１０の平面部分が対向して設けられると、電気的接触子２０が電極１３（図４参照）に電気的接触を行なう際、ハウジングされている電気的接触子２０は、第１支持穴１６Ａ及び第２支持穴１７Ａ（図４参照）において安定した状態となる。つまり、第１プランジャー２１０の先端部２１１が電極１３に接触する際、電極１３の表面に沿って先端部２１１が滑ることを防止でき、第１プランジャー２１０のズレを防止できる。仮に、一方の第１プランジャー２１０のズレが生じても、当該一方の第１プランジャー２１０の姿勢を正しく補正できる。
【手続補正７】
【補正対象書類名】明細書
【補正対象項目名】００９６
【補正方法】変更
【補正の内容】
【００９６】
図１１は、第１の実施形態に係る第２プランジャー２２０の構成を示す側面図である。
【手続補正８】
【補正対象書類名】明細書
【補正対象項目名】０１０５
【補正方法】変更
【補正の内容】
【０１０５】
受け部２２５は、スプリング部２３０を受けることができれば、受け部２２５の中心軸を通る直径が結合部２２２の幅長よりも大きくしてもよい。
【手続補正９】
【補正対象書類名】明細書
【補正対象項目名】０１０９
【補正方法】変更
【補正の内容】
【０１０９】
スプリング部２３０は、各第１プランジャー２１０及び第２プランジャー２２０と接触しているため、スプリング部２３０自体も電気的導通が行なされる。また、スプリング部２３０は、各第１プランジャー２１０の結合部２１４と第２プランジャー２２０の結合部２２２とが重なるように結合している部分を覆いながら、各第１プランジャー２１０及び第２プランジャー２２０が上下方向に相対移動（スライド）できるように弾性支持する。
【手続補正１０】
【補正対象書類名】明細書
【補正対象項目名】０１１８
【補正方法】変更
【補正の内容】
【０１１８】
しかし、電気的接触子２０は、第２プランジャー２２０に代えて、板状で形成された第２プランジャー２２０Ａを有しても良い。
【手続補正１１】
【補正対象書類名】明細書
【補正対象項目名】０１３３
【補正方法】変更
【補正の内容】
【０１３３】
また、第１プランジャーの形状を略半円柱形状とすることにより、電極に接触する第１プランジャーの強度を確保できる。そのため、電気的接触子のサイズの縮小化にも対応でき、第１プランジャー間の狭ピッチ化にも対応できる。
【手続補正１２】
【補正対象書類名】明細書
【補正対象項目名】０１３５
【補正方法】変更
【補正の内容】
【０１３５】
また、第１プランジャーが略半円柱形状であるため、電気的接触子をハウジングする第２支持穴に対する第１プランジャーの干渉を抑制でき、干渉で生じ得る削れカスの発生を抑えることができる。さらに、第１プランジャーが略半円柱形状であるため、電気的接触子と第１及び２支持穴との間の水滴流路を遮断できる。その結果、接触不良を回避できる。
【手続補正１３】
【補正対象書類名】明細書
【補正対象項目名】０１４７
【補正方法】変更
【補正の内容】
【０１４７】
電気的接触子２０Ｂの外径は、上側ハウジング１７の第２支持穴１７Ａ及び下側ハウジング１６の第１支持穴１６Ａの内径よりも小さい。そのため、電気的接触子２０が被検査体１２の電極１３に電気的に接触する際、電気的接触子２０は、上下方向にスライドできる。
【手続補正１４】
【補正対象書類名】明細書
【補正対象項目名】０１５６
【補正方法】変更
【補正の内容】
【０１５６】
また、上部２１２Ｂが円柱形状であるため、第１プランジャー２１０Ｂと第２支持穴１７Ａとの間の周縁の隙間を塞ぐことができる。つまり、電気的接続装置１１が低温環境で使用されるときに、結露により発生した水滴がしたたり落ちる水滴流路（隙間）を遮断できる。
【手続補正１５】
【補正対象書類名】明細書
【補正対象項目名】０１９６
【補正方法】変更
【補正の内容】
【０１９６】
各第２プランジャー２２０Ｅの形状が、半円柱形状であるため、第２プランジャー２２０Ｅの下端はコンタクトパッド２２（図１９参照）に対して安定して電気的な接触を行なうことができる。また、第２プランジャー２２０Ｅがコンタクトパッド２２に対して確実に電気的接触ができるため、コストを抑えた材質（金属）で、第２プランジャー２２０Ｅを作製できる。
【手続補正１６】
【補正対象書類名】図面
【補正対象項目名】図１４
【補正方法】変更
【補正の内容】
【図１４】
2017096787.tif 000001
【手続補正１７】
【補正対象書類名】図面
【補正対象項目名】図１５
【補正方法】変更
【補正の内容】
【図１５】
2017096787.tif 000002
【手続補正１８】
【補正対象書類名】図面
【補正対象項目名】図１９
【補正方法】変更
【補正の内容】
【図１９】
2017096787.tif 000003